(57)【要約】【課題】現代美術品や、古美術品・書画骨董品等の販売促進を行う会員制のバーチャル美術館経営システムを提供する。【解決手段】バーチャル美術館経営システム１００を設けたコンテンツ　マネージメント　サーバー（ＣＭＳ）１０２を、ＷＷＷサーバー１０１と接続して、ＷＷＷサーバーは通信ネットワーク１０３のインターネットに接続している。バーチャル美術館経営システム１００を管理するＣＭＳ１０２に格納するコンテンツＢＤをメンテナンスして、ＷＷＷサーバー１０１のページを編集する。コンテンツＤＢは、バーチャル美術館経営システム１００に関係するコンテンツテーブル１０２１と、作品テーブル１０２２と、出展者テーブル１０２３と、サロンテーブル１０２４と、会員テーブル１０２５と、購入希望者テーブル１０２６等をデータベース化して管理することを特徴とする。【選択図】　　　　図１
2004133864.tif 000002
【特許請求の範囲】
【請求項１】
現代美術品や、古美術品・書画骨董品等の販売促進を行うバーチャル美術館経営システムであって、バーチャル美術館経営システム（１００）を設けたＣＭＳ（１０２）を、ＷＷＷサーバー（１０１）と接続して、ＷＷＷサーバーは通信ネットワーク（１０３）のインターネットに接続していることを特徴とするバーチャル美術館経営システム。
【請求項２】
バーチャル美術館経営システム（１００）を管理するＣＭＳ（１０２）に格納するコンテンツＢＤをメンテナンスして、ＷＷＷサーバー（１０１）のページを編集して、コンテンツＤＢは、バーチャル美術館経営システム（１００）に関係するコンテンツテーブル（１０２１）と、作品テーブル（１０２２）と、出展者テーブル（１０２３）と、サロンテーブル（１０２４）と、会員テーブル（１０２５）と、購入希望者テーブル（１０２６）等をデータベース化して管理することを特徴とする請求の範囲第１項記載のバーチャル美術館経営システム。
【請求項３】
ページメンテナンスと、ワークフロー承認と、ページ更新等を行うＣＭＳ（１０２）は、ページ構成リソースとしてＨＴＭＬと、ＺｏｏｍＶｉｅｗと、ＰｏｗｅｒＳｋｅｔｃｈと、Ｓｈｏｃｋｗａｖｅ，Ｆｌａｓｈと、動画データと、テンプレート等を設けたことを特徴とする請求項１と２記載のバーチャル美術館経営システム。
【請求項４】
上記記載のコンテンツＤＢの各テーブルに設けたコンテンツテーブル（１０１）は、コンテンツ管理として設けられる表示テンプレート名と、作品名と、作品画像名と、作品オブジェクト名と、ＺｏｏｍＶｉｅｗ機能等と、作品テーブル（１０２２）は、作品名として設けられる作品コードと、作品名称と、作者名と、作品画像と、作品オブジェクトと、ＺｏｏｍＶｉｅｗ機能と、販売希望価格と、年代と、種類／ジャルンと、サイズ等と、出展者テーブル（１０２３）は、出展者名として設けられる出展者コードと、出展者名と、常設美術館と、ギャラリーと、サロンと、メールアドレスと、連絡先住所と、連絡先電話番号と、出展依頼等と、サロンテーブル（１０２４）は、サロン名として設けられるサロンコードと、サロン名と、サロン展示名と、メールアドレスと、連絡先電話番号と、出展依頼者等と、会員テーブル（１０２５）は、会員名として設けられる会員コードと、会員名と、ログインＩＤと、パスワードと、メールアドレスと、連絡先電話番号と、取引実績等と、購入希望テーブル（１０２６）は、購入希望テーブルとして設けられる作品コードと、会員コードと、販売希望価格と、購入希望価格と、日付と、申し込み期限等とであることを特徴とする請求項第１〜３記載のバーチャル美術館経営システム。
【請求項５】
会員（８１）と、非会員（８２）と、契約出展者（８３）と、非契約出展者（８４）等がパーソナルコンピュータよりインターネットを介して美術館（１１０）をアクセスすると、バーチャル美術館経営システム（１００）に設けられた美術館（１１０）は、イメージをアニメーションとＦＬＡＳＨを用いてオープニングして、進路の順に設けられたＴＯＰページ（１２０）と、会員（８１）のために設けられた画面遷移（３０１）と、入口（１３０）と、ロビー（１４０）等と、該美術館（１１０）に設けられた常設美術館（１５０）と、１室以上のギャラリー（１６０）と、１室以上のサロン（１７０）と、該ギャラリー（１６０）と、該サロン（１７０）等のドアイメージは作者あるいは画廊毎に異なるデザインで設けられることを特徴とする請求項第１〜４記載のバーチャル美術館経営システム。
【請求項６】
作品紹介（１５１）を設けられた常設美術館（１５０）の作品展示を鑑賞できて、商談依頼受付（２００）による購入手続はできない非会員（８２）と、非契約出展者（８４）等であることを特徴とする請求項第１〜５記載のバーチャル美術館経営システム。
【請求項７】
ギャラリー（１６０）と、サロン（１７０）等を訪問する会員（８１）確認のＰｓｓ　ＷｏｒｄとＩＤとの確認を取るため設けたログイン（１８０）と、該ログイン（１８０）で会員登録・認証された会員（８１）は設けた個室ＶＩＰルーム（１８１）へ案内され、該個室ＶＩＰルーム（１８１）に設けられた選択画面を選択して常設美術館（１５０）と、ギャラリー（１６０）あるいは、サロン（１７０）を訪問できることを特徴とする請求項第１〜６記載のバーチャル美術館経営システム。
【請求項８】
ログイン（１８０）により会員認証の取れた会員（８１）は、個室ＶＩＰルーム１８１に設けられた選択画面を選択して常設美術館（１５０）と、ギャラリー（１６０）あるいは、サロン（１７０）等を訪問して、選択先に設けられた作品紹介（１５１）と、作者紹介（１６１）と、アトリエ紹介（１６２）と、作品サムネイル（作品一覧）（１６３）等を選択して作品紹介（１６４）の作品を詳細に鑑賞をすることができるように設けられたＺｏｏｍＶｉｅｗ機能と、ギャラリー（１６０）あるいは、サロン（１７０）等の作品紹介（１６４）を鑑賞中に常設美術館（１５０）の作品紹介（１５１）を鑑賞すること、商談依頼受付（２００）による購入手続と、オークション一覧（１８１６）と、入札履歴（１８１２）と、関連商品の販売（１８１７）等ができることを特徴とする請求項第１〜７記載のバーチャル美術館経営システム。
【請求項９】
作品は額縁によって様子が大きく変化するので設けられた額縁シュミレーション（１９０）を用いて額縁を取替えて作品の鑑賞をすることができることを特徴とする請求項第１〜８記載のバーチャル美術館経営システム。
【請求項１０】
ＴＯＰページ（１２０）の画面に設けたロゴ「ＶＩＲＴＵＡＬ　ＭＵＳＥＵＭ　ｏｆ　ＡＲＴ　ＪＡＰＡＮ」と、該ロゴの左側に、随時入れ替えを行う複数個の作品サムネイルのいずれかをクリックするとＺｏｏｍＶｉｅｗで作品が表示されるように設け、該複数個の作品サムネイルは、誘引効果を狙い非会員（８２）と、非契約出展者（８４）等でも鑑賞できるように設け、画面の２段目に設けた簡単な美術館（１１０）を紹介する文章と、画面の３段目は、左側に設けたログイン（１８０）と、館内案内（１２０１）と、美術館（１１０）の紹介（１２０３）と、入会案内（１２０４）と、有料サイト表示（１２０５）と、プラグインソフトの必要性（１２０）６と、ログインの必要性（ＩＤ／ＰＷの必要性）（１２０７）と、日本語／英語切換（１２０８）と、出展のご案内（１２０９）等と、画面の３目段の右側に設けたＷｈａｔ’Ｎｅｗ（１２０２）と、過去の情報検索矢印と、現在まで登録されている作品と、会員（８１）のみが検索できる作家一覧矢印等を設けたことを特徴とする請求項第１〜９記載のバーチャル美術館経営システム。
【請求項１１】
会員（８１）となるための手続として設けたオンラインサインアップ用の新規会員登録（１８０１）画面は、氏名と、ふりがなと、性別と、Ｅ−ｍａｉｌアドレスと、郵便番号と、住所（都道府県・郡市町村名・町名・番地・マンション名、号）と、電話番号と、生年月日と、あなたの好きなジャンル（日本画・洋画・彫刻・立体造形・現代アート・工芸・版画・書・その他）と、あなたの所蔵品（日本画・洋画・彫刻・立体造形・現代アート・工芸・版画・書・その他）等と、必要事項を入力後「登録」ボタンをクリックして完了する登録と、ＩＤ・パスワードは、会費の納入と、購入物品の代金の回収等を確認できるクレジットカード等による引き落しを確認して通知されることを特徴とする請求項第１〜１０記載のバーチャル美術館経営システム。
【請求項１２】
個室ＶＩＰルーム（１８１）に設けた選択画面は、画面の上段正面に設けた個室ＶＩＰルーム１８１のイラストと、次に最新のものと、入札履歴・登録時の嗜好に関連する出品一覧等の掲載文と、お勧め作品一覧（１８１３）と、次の下段左側に、プルダウンして訪問先を決める案内を設けた案内欄は、常設美術館（１５０）に行く、ギャラリー（１６０）に行く、サロン（１７０）に行く等と、キーワード検索に設けたプルダウンメニューは、全項目からの検索と、作家名からの検索と、作品名からの検索と、出展者からの検索と、オークションからの検索と、関連販売からの検索等と、クリックして開くように設けた参加と販売欄は、オークション一覧（１８１６）と、関連商品の販売（１８１７）等と、お勧め作品一覧（１８１３）の下段右側に設けたプルダウンして検索するキワード検索と、文言を入力してクリックするキーワード検索と、作者名一覧から探すと、作品名一覧から探すと、サロン名一覧から探す等と、館長からのお知らせとしてのニュース（１８１１）と、出展者・作家からのご連絡としてのメッセージ・ボックス（１８１４）と、アート系サイトへのリンク集としてのリンク（１８１５）と、これまでの入札履歴（１８１２）と、ＩＤ・パスワードの変更（１８０２）等は、クリックすると関係画面へ遷移するように設けたことを特徴とする請求項第１〜１１記載のバーチャル美術館経営システム。
【請求項１３】
会員（８１）のステータスを満喫して頂くためにアニメーション製作され設けられた画面遷移（３０１）は、会員（８１）を入口（１３０）へ案内する前に、ＶＩＰ待遇でエスコートしてヘリポートに案内して乗り込むと、青い空にヘリコプターの音がして、やがて海の中に島が浮かんで見えるヘリポートに到着して、高級車による出迎を受け案内されて、美術館（１１０）の敷地のなかを会員（８１）を乗せた高級車が走ると、窓より木々の光と影と古城のたたずまい静かで爽やかで小鳥が飛んでいる風景が流れやがて美術館（１１０）の前に到着して、美術館（１１０）の入口（１３０）へ案内されると重厚な扉が開き、そこは広々としたロビー（１４０）が見えて、ロビー受付（１４１）に美しい女性が現れ個室ＶＩＰルーム（１８１）へ案内されること、美術館（１１０）内より「帰る」を連絡すると青い空へヘリコプターは飛び立って終了すること、ＴＯＰページ（１２０）より画面遷移（３０１）を省略して入口１３０へ進むことを特徴とする請求項第１〜１２記載のバーチャル美術館経営システム。
【請求項１４】
会員（８１）のステータスを満喫して頂くためにアニメーション製作され設けられた画面遷移（３０２）は、個室ＶＩＰルーム（１８１）より選択画面を選択すると、後方にある扉が開き奥へ案内されて、館内廊下を歩きエレベータに乗り選択した階で降り館内廊下を歩く、館内の床は大理石、天井は埋め込み間接照明で椅子・テーブル・花で飾り付けられたサロン風の印象と、壁は石を削った粗い感じの表現と、上部から作品にスポットライトの照明がされている廊下を歩いて選択した選択した室の扉を開けること、画面遷移（３０２）を省略して目的の場所へ進むことを特徴とする請求項第１〜１３記載のバーチャル美術館経営システム。
【発明の詳細な説明】
【０００１】
【発明の属する技術分野】
本発明は、クライアントがインターネットを介してサーバーに設けてある美術品を展示しているホームページをパーソナルコンピュータでアクセスして展示品の鑑賞と購入ができるように準備された現代美術品や、古美術品・書画骨董品等の販売促進を行うバーチャル美術館経営システムに関する。
【０００２】
【従来の技術】
従来より古美術・現代美術をとわず美術品・書画・骨董を商っている企業も商店もインターネットに接続されたサーバーに設けた企業・商店別のホームページを活用されている。該美術品・書画・骨董をＰＲするには、それなりの拡大鑑賞機能を有するシステム等によって品定めが必要となる。クライアントの品定めの不満と、信用確認の取れないクライアントに高額商品の販売問題で折角の機会を失っている。
【０００３】
【特許文献１】
特開２００１−２５６３５７発明の名称：サイバー展示館システムが開示されている。従来より運営者は大規模な展示場などを準備して出展者より出展料を得るなど、それは、展示販売の演出と、展示販売促進のための運営者の開催するイベントと、展示販売開催の広告と、出展者の募集と、出展者による商品の搬入と、出展者による商品の陳列と、購入された商品の発送と、展示商品の大量の販売促進を図る従来からあるビジネスをシステム化して、インターネットに接続したサーバーに該システムを設けている。
【０００４】
【特許文献２】
特開２００２−９９７３７発明の名称：美術品流通促進システムが開示されている。美術業者間においては、美術品の売買と、貸し出し等は行われていた従来からあるビジネスをシステム化して、インターネットに接続したサーバーに該システムを設けている。
【０００５】
【特許文献３】
特開２００２−１４９８０３発明の名称：作品展示システムが開示されている。
既存の通信ネットワークを介しての情報提供による作品展示システムでは、一般大衆のニーズの収集と、アーティストへの啓蒙と、アーティストと一般大衆とのコミニケーションの支援を通じてアーティストの育成と、芸術文化の底辺拡大を図るシステムである。従来からあるビジネスをシステム化して、インターネットに接続したサーバーに該システムを設けている。
【０００６】
上記記載のインターネットに接続した各システムを設けたサーバーにおいては次の課題がある。サイバー展示館システムでは、取扱い商品が多岐に渡り、大量販売であるので物品を鑑賞して品定めをする一品販売には適さない。また、美術品流通促進システムでは、美術業者間の美術品取引システムであるので、美術愛好家が関心があっても業者でなければ美術流通促進システムへ係わることはできない。また、作品展示システムでは、アーティストの育成が主な目的であって作品展示システムと美術愛好家の係わりは、作品展示システムへの美術愛好家のインターネットのアクセスを待つ自然の成り行きに任せてある。サイバー展示館システムと、作品展示システム等では、無制限なアクセスができる。参加人員を増大できることはビジネス成功の鍵であるが無制限のアクセスは、サイバー展示館及び作品展示システムを利用したい者に取っては回線の混雑で利用の妨げとなる。
【０００７】
【発明が解決しようとする課題】
本発明は、以上のような従来の欠点に鑑み、バーチャル美術館経営システムを運営する経営者に取っては会員制を設けて回線の混雑を防止すること、バーチャル美術館経営システムを利用する会員のステータスを上げること、また、バーチャル美術館経営システムの特徴を生かして画面遷移を用いて魅力ある臨場感あふれるバーチャルな造形美を設けること、拡大鑑賞機能を設けて正確に納得の行く充分な展示品の品定めができること、心地よく鑑賞できる情報提供の場を設けること、バーチャル美術館経営システムに出展された展示品の著作権を保護するために複写防止機能が設けられること、バーチャル美術館経営システムに展示された彫刻と、陶芸と、絵画と、写真と、出版物等の現代美術品や、古美術品・骨董品等の物件を会員が購入を希望すれば、該物件の取引は確実に行えること、会員が絵画を選択するとき自在に額縁の入れ替えができること、バーチャル美術館経営システムの美術品出展者として認定された登録美術品出展者は、出展する美術品物件の情報をインターネツトを介して該美術館へ送信することができること、また、バーチャル美術館経営システムのＰＲのために常設美術館を開放して、非会員と、非契約出展者に見学の機会を設けること、また、会員獲得と、契約出展者の拡大促進を図ってビジネスとして有益な経営を行うバーチャル美術館経営システムを提供することを目的としている。
【０００８】
【発明を解決するための手段】
上記目的を達成するためになされた請求項１記載の本発明では、現代美術品や、古美術品・書画骨董品等の販売促進を行うバーチャル美術館経営システムであって、バーチャル美術館経営システム１００を設けたコンテンツ　マネージメント　サーバー（Ｃｏｎｔｅｎｔｓ　Ｍａｎｅｇｍｅｎｔ　Ｓｅｒｖｅｒ：以下ＣＭＳと称する）１０２を、Ｗｏｌｄ　Ｗｉｄｅ　Ｗｅｂ（以下：ＷＷＷ称する）サーバー１０１と接続して、ＷＷＷサーバーは通信ネットワーク１０３のインターネットに接続していることを特徴とする。
【０００９】
また、請求項２記載の発明では、請求の範囲第１項記載の現代美術品や、古美術品・書画骨董品等の販売促進を行うバーチャル美術館経営システムであって、バーチャル美術館経営システムを管理するＣＭＳ１０２に格納するコンテンツデーターベース（以下：コンテンツＤＢと称する）をメンテナンスして、ＷＷＷサーバー１０１のページを編集する。コンテンツＤＢは、バーチャル美術館経営システムに関係するコンテンツテーブル１０２１と、作品テーブル１０２２と、出展者テーブル１０２３と、サロンテーブル１０２４と、会員テーブル１０２５と、購入希望者テーブル１０２６等をデータベース化して管理することを特徴とする。
【００１０】
また、請求項３記載の発明では、請求項第１〜２記載の現代美術品や、古美術品・書画骨董品等の販売促進を行うバーチャル美術館経営システムであって、ページメンテナンスと、ワークフロー承認と、ページ更新等を行うＣＭＳ１０２は、ページ構成リソースとしてＨＴＭＬと、ＺｏｏｍＶｉｅｗと、ＰｏｗｅｒＳｋｅｔｃｈと、Ｓｈｏｃｋｗａｖｅ，Ｆｌａｓｈと、動画データと、テンプレート等を設けたことを特徴とする。
【００１１】
また、請求項４記載の発明では、請求項第１〜３記載の現代美術品や、古美術品・書画骨董品等の販売促進を行うバーチャル美術館経営システムであって、上記記載のコンテンツＤＢの各テーブルに設けたコンテンツテーブル１０１は、コンテンツ管理として、表示テンプレート名と、作品名と、作品画像名と、作品オブジェクト名と、ＺｏｏｍＶｉｅｗ機能等を設けられる。作品テーブル１０２２は、作品名として、作品コードと、作品名称と、作者名と、作品画像と、作品オブジェクトと、ＺｏｏｍＶｉｅｗ機能と、販売希望価格と、年代と、種類／ジャルンと、サイズ等が設けられる。出展者テーブル１０２３は、出展者名として、出展者コードと、出展者名と、常設美術館と、ギャラリーと、サロンと、メールアドレスと、連絡先住所と、連絡先電話番号と、出展依頼等が設けられる。サロンテーブル１０２４は、サロン名として、サロンコードと、サロン名と、サロン展示名と、メールアドレスと、連絡先電話番号と、出展依頼者等が設けられる。会員テーブル１０２５は、会員名として、会員コードと、会員名と、ログインＩＤと、パスワードと、メールアドレスと、連絡先電話番号と、取引実績等が設けられる。購入希望テーブル１０２６は、購入希望テーブルとして、作品コードと、会員コードと、販売希望価格と、購入希望価格と、日付と、申し込み期限等が設けられたことを特徴とする。
【００１２】
また、請求項５記載の発明では、請求項第１〜４記載の現代美術品や、古美術品・書画骨董品等の販売促進を行うバーチャル美術館経営システムであって、会員８１と、非会員８２と、契約出展者８３と、非契約出展者８４等がパーソナルコンピュータよりインターネットを介して美術館１１０をアクセスすると、バーチャル美術館経営システム１００に設けられた美術館１１０は、イメージをアニメーションとＦＬＡＳＨを用いてオープニングされる。進路の順にＴＯＰページ１２０と、会員８１のために設けた画面遷移３０１と、入口１３０と、ロビー１４０等である。該美術館１１０は、常設美術館１５０と、複数のギャラリー１６０と、複数のサロン１７０等が設けられ、複数のギャラリー１６０と、複数のサロン１７０のドアのイメージは作者あるいは画廊毎に異なるデザインで設けられたことを特徴とする。
【００１３】
また、請求項６記載の発明では、請求項第１〜５記載の現代美術品や、古美術品・書画骨董品等の販売促進を行うバーチャル美術館経営システムであって、非会員８２と、非契約出展者８４等であっても作品紹介１５１を設けられ作品を展示されている常設美術館１５０を鑑賞できる。非会員８２と、非契約出展者８４等の商談依頼受付２００による購入手続できないことを特徴とする。
【００１４】
また、請求項７記載の発明では、請求項第１〜６記載の現代美術品や、古美術品・書画骨董品等の販売促進を行うバーチャル美術館経営システムであって、ギャラリー１６０と、サロン１７０等を訪問するには設けられた会員登録・認証部門１８０によって、Ｐｓｓ　ＷｏｒｄとＩＤとの確認を取る（以下：ログインと称する）。ログイン１８０を行い会員登録・認証を了解された会員８１は設けられた個室ＶＩＰルーム１８１へ案内される。該個室ＶＩＰルーム１８１に設けられた選択画面を選択して常設美術館１５０と、ギャラリー１６０あるいは、サロン１７０を訪問できることを特徴とする。
【００１５】
また、請求項８記載の発明では、請求項第１〜７記載の現代美術品や、古美術品・書画骨董品等の販売促進を行うバーチャル美術館経営システムであって、ログイン１８０により会員認証の取れた会員８１は、個室ＶＩＰルーム１８１に設けられた選択画面を選択して常設美術館１５０と、ギャラリー１６０あるいは、サロン１７０等を訪問する。選択先に設けられた作品紹介１５１と、作者紹介１６１と、アトリエ紹介１６２と、作品サムネイル（作品一覧）１６３と、選択した作品の詳細を鑑賞するように設けられたＺｏｏｍＶｉｅｗ機能によって作品紹介１６４の作品を鑑賞することができる。ギャラリー１６０あるいは、サロン１７０を鑑賞中に常設美術館１５０の作品紹介１５１を、作品紹介１６４より自由に訪問して作品の鑑賞をすることができる。商談依頼受付２００による購入手続と、オークション一覧１８１６と、入札履歴１８１２と、関連商品の販売１８１７等ができることを特徴とする。
【００１６】
また、請求項９記載の発明では、請求項第１〜８記載の現代美術品や、古美術品・書画骨董品等の販売促進を行うバーチャル美術館経営システムであって、作品は額縁によって様子が大きく変化するので設けられた額縁シュミレーション１９０を用いて額縁を取替えて作品の鑑賞をすることができることを特徴とする。
【００１７】
また、請求項１０記載の発明では、請求項第１〜９記載の現代美術品や、古美術品・書画骨董品等の販売促進を行うバーチャル美術館経営システムであって、ＴＯＰページ１２０の画面に、「ＶＩＲＴＵＡＬ　ＭＵＳＥＵＭ　ｏｆ　ＡＲＴＪＡＰＡＮ」のロゴを設けた。ロゴの左側に、複数個の作品展示をする。当該例では、９個の作品展示（以下：作品サムネイルと称する）の作品サムネイルのいずれかを指定した一つをクリックするとＺｏｏｍＶｉｅｗで作品が表示されるように設けた。９個の作品サムネイルは、随時入れ替えを行う。９個の作品サムネイルは、誘引効果を狙い非会員８２と、非契約出展者８４等でも鑑賞できるように設けた。画面の２段目は、簡単な美術館１１０を紹介する文章を設けた。画面の３段目は、左側に設けた館内案内１２０１と、美術館１１０の紹介（設立の趣旨）１２０３と、入会案内１２０４と、有料サイト表示１２０５と、プラグインソフトの必要性１２０６と、ログインの必要性（ＩＤ／ＰＷの必要性）１２０７と、日本語／英語切換１２０８と、出展のご案内１２０９等である。画面の３目段の右側に設けたＷｈａｔ’Ｎｅｗ（お知らせ）１２０２と、過去の情報検索矢印と、現在まで登録されている作品と、会員８１のみが検索できる作家一覧矢印等を設けたことを特徴とする。
【００１８】
また、請求項１１記載の発明では、請求項第１〜１０記載の現代美術品や、古美術品・書画骨董品等の販売促進を行うバーチャル美術館経営システムであって、会員８１となるための手続用として、新規会員登録１８０１画面（図８）を設けた。該新規会員登録１８０１は、オンラインサインアップで行われる。新規会員登録１８０１画面は、氏名と、ふりがなと、性別と、Ｅ−ｍａｉｌアドレスと、郵便番号と、住所（都道府県・郡市町村名・町名・番地・マンション名、号）と、電話番号と、生年月日と、あなたの好きなジャンル（日本画・洋画・彫刻・立体造形・現代アート・工芸・版画・書・その他）と、あなたの所蔵品（日本画・洋画・彫刻・立体造形・現代アート・工芸・版画・書・その他）等である。必要事項を入力後「登録」ボタンをクリックして登録が完了する。ＩＤ・パスワードは、会費の納入と、購入物品の代金の回収等を確認できるクレジットカード等による引き落しを確認して通知されることを特徴とする。
【００１９】
また、請求項１２記載の発明では、請求項第１〜１１記載の現代美術品や、古美術品・書画骨董品等の販売促進を行うバーチャル美術館経営システムであって、個室ＶＩＰルーム１８１に設けた選択画面（図１０）は、画面の上段正面に設けた個室ＶＩＰルーム１８１のイラスト（図６）である。最新のものと、入札履歴・登録時の嗜好に関連する出品一覧等の掲載文を設けたお勧め作品一覧１８１３と、次の下段左側に、案内欄として、常設美術館１５０に行く、ギャラリー１６０に行く、サロン１７０に行く等をプルダウンして訪問先を決める案内を設けた。キーワード検索のプルダウンメニューは、全項目からの検索と、作家名からの検索と、作品名からの検索と、出展者からの検索と、オークションからの検索と、関連販売からの検索等である。クリックして開くオークション一覧１８１６と、関連商品の販売１８１７等を設けた。お勧め作品一覧１８１３の下段右側に設けたプルダウンするキーワード検索と、文言を入力してクリックするキーワード検索と、作者名一覧から探すと、作品名一覧から探すと、サロン名一覧から探す等である。館長からのお知らせとしてのニュース１８１１と、出展者・作家からのご連絡としてのメッセージ・ボックス１８１４と、アート系サイトへのリンク集としてのリンク１８１５と、これまでの入札履歴１８１２と、ＩＤ・パスワードの変更１８０２等はクリックすると関係画面へ遷移するように設けたことを特徴とする。
【００２０】
また、請求項１３記載の発明では、請求項第１〜１２記載の現代美術品や、古美術品・書画骨董品等の販売促進を行うバーチャル美術館経営システムであって、会員８１のステータスを満喫して頂くために図２３で示した矢印の順に画面は遷移する。アニメーションで製作され設けられた画面遷移３０１は、会員８１を入口１３０へ案内する。会員８１を、ＶＩＰ待遇でエスコートしてヘリポートに案内して乗り込む。青い空にヘリコプターの音がする。やがて海の中に島が浮かんで見えてヘリポートに到着する。高級車による出迎を受け案内される。美術館１１０の敷地のなかを会員８１を乗せた高級車が走る。窓より木々の光と影と古城のたたずまい静かで爽やかで小鳥が飛んでいる風景が流れやがて美術館１１０の前に到着する。美術館１１０の入り口１３０へ案内されると重厚な扉が開き、そこは広々としたロビー１４０が見える。ロビー受付１４１に美しい女性が現れ個室ＶＩＰルーム１８１へ案内される。美術館１１０内より「帰る」を連絡すると青い空へヘリコプターは飛び立って終了する。ＴＯＰページ１２０より画面遷移３０１を省略して入口１３０へ進むことを特徴とする。
【００２１】
また、請求項１４記載の発明では、請求項第１〜１３記載の現代美術品や、古美術品・書画骨董品等の販売促進を行うバーチャル美術館経営システムであって、会員８１のステータスを満喫して頂くために図２４で示した矢印の順に画面は遷移する。アニメーションで製作され設けられた画面遷移３０２は、個室ＶＩＰルーム１８１より選択画面で選択すると、ロビー１４０の後方にある扉が開きロビー１４０奥へ案内される。館内廊下を歩きエレベータに乗り選択した階で降り館内廊下を歩く、館内の床は大理石、天井は埋め込み間接照明で椅子・テーブル・花で飾り付けられたサロン風の印象と、壁は石を削った粗い感じの表現と、上部から作品にスポットライトの照明がされている廊下を歩いて選択した選択した室の扉を開く。画面遷移３０２を省略して目的の場所へ進むことを特徴とする。
【００２２】
【発明の実施の形態】
以下、図面に示すの実施の形態により、本発明を詳細に説明する。
【００２３】
図１はバーチャル美術館経営システム全体の構成を示すシステム概念図である。
本発明は、バーチャル美術館経営システムであって、バーチャル美術館経営システム１００はＣＭＳ１０２に設けられる。該ＣＭＳ１０２は、ＷＷＷサーバー１０１と接続され、ＷＷＷサーバーは通信ネットワーク１０３のインターネットに接続している。バーチャル美術館経営システム１００の美術館１１０への見学は、会員８１と、非会員８２と、契約出展者８３と、非契約出展者８４等がパーソナルコンピュータよりインターネットを介してアクセスする。バーチャル美術館経営システム１００は、ＣＭＳ１０２により随時更新される。
【００２４】
バーチャル美術館経営システム１００を管理する者は、管理するＣＭＳ（コンテンツ　マネージメント　サーバー）１０２に格納するコンテンツ　データーベース（以下：コンテンツＤＢと称する）をメンテナンスして、ＷＷＷサーバー１０１のページを編集する。ページメンテナンスと、ワークフロー承認と、ページ更新等をＣＭＳ１０２で行う。
【００２５】
ＣＭＳ１０２には、ページ構成リソースとしてＨＴＭＬと、ＺｏｏｍＶｉｅｗと、ＰｏｗｅｒＳｋｅｔｃｈと、Ｓｈｏｃｋｗａｖｅ，Ｆｌａｓｈと、動画データと、テンプレート等が設けられる。
コンテンツＤＢには、バーチャル美術館経営システムに関係するコンテンツテーブル１０２１と、作品テーブル１０２２と、出展者テーブル１０２３と、サロンテーブル１０２４と、会員テーブル１０２５と、購入希望者テーブル１０２６をデータベース化して管理する。
【００２６】
上記記載のコンテンツＤＢの各テーブルに設けられる内容は、コンテンツテーブル１０２１は、コンテンツ管理が設けられ、コンテンツ管理として、表示テンプレート名と、作品名と、作品画像名と、作品オブジェクト名と、ＺｏｏｍＶｉｅｗ機能等である。
作品テーブル１０２２は、作品名として、作品コードと、作品名称と、作者名と、作品画像と、作品オブジェクトと、ＺｏｏｍＶｉｅｗ機能と、販売希望価格と、年代と、種類／ジャルンと、サイズ等が設けられる。
出展者テーブル１０２３は、出展者名として、出展者コードと、出展者名と、常設美術館と、ギャラリーと、サロンと、メールアドレスと、連絡先住所と、連絡先電話番号と、出展依頼等が設けられる。サロンテーブル１０２４は、サロン名として、サロンコードと、サロン名と、サロン展示名と、メールアドレスと、連絡先電話番号と、出展依頼者等が設けられる。会員テーブル１０２５は、会員名として、会員コードと、会員名と、ログインＩＤと、パスワードと、メールアドレスと、連絡先電話番号と、取引実績等が設けられる。購入希望テーブル１０２６は、購入希望テーブルとして、作品コードと、会員コードと、販売希望価格と、購入希望価格と、日付と、申し込み期限等が設けられる。
【００２７】
図２は、図１のページ編集イメージ図を示す。
ＣＭＳ１０２のページ編集機能の流れに従い各種オブジェクトを定義することによりページを作成する。
図２（Ａ）は、▲１▼テンプレート選択である。常設美術館・ギャラリー・サロンを構成するテンプレートを選択する。図２（Ｂ）は、▲２▼表示オブジェクト選択である。常設美術館・ギャラリー・サロンを構成するテンプレートが表示されると、表示項目に対応するオブジェクトを選択して、▲３▼表示オブジェクト参照を選択する。図２（Ｃ）は、▲４▼ページプレビューである。テンプレートに表示すべきオブジェクトを定義し、プレビューできる。図２（Ｄ）は、▲５▼ＨＴＭＬ表示である。
定義が完了したものは、ブラウザにて参照できる。ＨＴＭＬは、動的に生成する。
【００２８】
図３は、バーチャル美術館経営システムの全体フローと更新の図を示す。
バーチャル美術館経営システム１００の美術館１１０において、会員８１と、非会員８２と、契約出展者８３と、非契約出展者８４等がパーソナルコンピュータよりインターネットを介して美術館１１０をアクセスすると、バーチャル美術館経営システム１００に設けられたサーバーを通して図５に示した美術館１１０の画面となる。美術館１１０は、イメージをアニメーションとＦＬＡＳＨを用いてオープニングされ、ＴＯＰページ１２０に入る。ＴＯＰページ１２０と、進路である入り口１３０までに会員８１のために設けられる画面遷移３０１と、進路の順に設けられた入口１３０と、ロビー１４０である。該美術館１１０には、常設美術館１５０と、複数のギャラリー１６０と、複数のサロン１７０等が設けられている。常設美術館１５０と、複数のギャラリー１６０と、複数のサロン１７０等を選択して進む。
【００２９】
常に開放されている常設美術館１５０は、作品紹介１５１が設けられ作品が展示されている。ギャラリー１６０と、サロン１７０等を訪問するには設けられた会員登録・認証部門１８０によって、Ｐｓｓ　Ｗｏｒｄ確認とＩＤ確認とを受ける（以下：ログインと称する）。ログインして会員登録・認証の了解が取れた会員８１は、図６に示した個室のＶＩＰルーム１８１へ案内される。個室のＶＩＰルーム１８１より進路を選択して常設美術館１５０と、ギャラリー１６０あるいは、サロン１７０を訪問する。複数のギャラリー１６０と、複数のサロン１７０のドアのイメージは作者あるいは画廊毎に異なるデザインで設けられている。
【００３０】
ギャラリー１６０を選択すると設けられた作者紹介１６１を見る。作品紹介１６１を経て設けられた作品サムネイル（作品一覧）１６３を見て希望する作品を指示すると作品詳細の鑑賞ができるように設けられたＺｏｏｍＶｉｅｗ機能によって作品紹介１６４の作品を観る。作品は額縁によって様子が大きく変化するので設けられた額縁シュミレーション１９０を用いて額縁を取替えて作品の鑑賞と、額縁の確認ができる。また、常設美術館１５０の作品紹介１５１を鑑賞するには、作品紹介１６４より自由に訪問して鑑賞と、商談依頼受付２００による購入手続ができる。
【００３１】
また、サロン１７０を選択すると設けられたサロン名／画廊紹介１７１を見る。
サロン名／画廊紹介１７１を経て設けられた作品サムネイル（作品一覧）１６３を見て希望する作品を指示すると作品詳細の鑑賞ができるように設けられたＺｏｏｍＶｉｅｗ機能によって作品紹介１６４の作品を観る。作品は額縁によって様子が大きく変化するので設けられた額縁シュミレーション１９０を用いて額縁を取替えて作品の鑑賞と、額縁の確認ができる。また、常設美術館１５０の作品紹介１５１を鑑賞するには、作品紹介１６４より自由に訪問して鑑賞と、商談依頼受付２００による購入手続ができる。
【００３２】
常設美術館１５０と、ギャラリー１６０と、サロン１７０等を鑑賞した会員８１が、希望者する作品を購入するには設けられた商談依頼受付２００において購入手続を行うことができる。また、常設美術館１５０からの会員８１以外の購入希望者は、代金決済のことがあり、会員８１になって頂くことになる。
【００３３】
図４は、図３のバーチャル美術館経営システムの情報提供の項目を示す。
ＴＯＰページ１２０では次の情報が示される。バーチャル美術館案内情報として、館内案内１２０１と、お知らせ（美術館１１０の更新情報）１２０２と、美術館１１０の紹介（設立の趣旨）１２０３と、入会案内１２０４と、有料サイト表示１２０５と、プラグインソフトの必要性１２０６と、ログイン（ＩＤ／ＰＷ）１８０と、日本語／英語切換１２０８と、出展のご案内１２０９等である。
【００３４】
入会案内１２０４により会員登録の終了した会員８１は、ログイン１８０によって、Ｐｓｓ　Ｗｏｒｄ確認とＩＤ確認を受ける。会員登録・認証をされた会員８１は、個室ＶＩＰルーム１８１へ案内され、各種の情報提供を受ける。
また、常設美術館１５０と、ギャラリー１６０と、サロン１７０等の選択と、情報項目として伝言版が設けられる。ＺｏｏｍＶｉｅｗ等で作品の鑑賞が済むと、購入希望者は商談依頼受付２００において購入手続に入る。また、オークション一覧１８１６と、入札履歴１８１２等がある。
【００３５】
図７は、図４のＴＯＰページの画面を示す。
ＴＯＰページ１２０画面のロゴ　ＶＩＲＴＵＡＬ　ＭＵＳＥＵＭ　ｏｆ　ＡＲＴ　ＪＡＰＡＮの左には、複数個の作品展示でよいが、当該例では、９個の作品展示（以下：作品サムネイルと称する）を設けた。９個の作品サムネイルのいずれか指定した作品サムネイルの一つをクリックするとＺｏｏｍＶｉｅｗで作品が表示される。９個の作品サムネイルは、随時入れ替えを行う。　また、該９個のサムネイルは、誘引効果を狙い会員以外でも鑑賞できるように設けてある。２段目は、簡単な美術館１１０を紹介する文章が設けられる。３の段は、左側に設けられるのは、館内案内１２０１と、お知らせ（美術館１１０の更新情報）１２０２と、美術館１１０の紹介（設立の趣旨）１２０３と、入会案内１２０４と、有料サイト表示１２０５と、プラグインソフトの必要性１２０６と、ログイン（ＩＤ／ＰＷの必要性）１８０と、日本語／英語切換１２０８と、出展のご案内１２０９等である。３目段の右側に設けられるのは、Ｗｈａｔ’Ｎｅｗ１２０２と、過去の情報検索矢印と、現在まで登録されている作品と、会員のみが検索できる作家一覧矢印等である。
【００３６】
図８は、新規会員登録画面を示す。
会員８１となるための手続の一例を示した新規会員登録１８０１画面である。新規会員登録１８０１は、オンラインサインアップで行われる。該新規会員登録１８０１画面は、氏名と、ふりがなと、性別と、Ｅ−ｍａｉｌアドレスと、郵便番号と、住所（都道府県・郡市町村名・町名・番地・マンション名、号）と、電話番号と、生年月日と、あなたの好きなジャンル（日本画・洋画・彫刻・立体造形・現代アート・工芸・版画・書・その他）と、あなたの所蔵品（日本画・洋画・彫刻・立体造形・現代アート・工芸・版画・書・その他）を等を入力後「登録」ボタンをクリックして登録が完了する。パスワードは、会費の納入と、購入物品の代金の回収等を確認できるクレジットカード等による引き落としを確認して通知される。
【００３７】
図９は、ネーミング・サブネーミング・コンセプト・デザインのポイントの図を示す。
図９（Ａ）は、ＴＯＰページ１２０のネーミングである。ＶＩＲＴＵＡＬ　ＭＵＳＥＵＭ　ｏｆ　ＡＲＴ　ＪＡＰＡＮとする。「ＶＩＲＴＵＡＬ　ＭＵＳＥＵＭ」の頭文字ＶとＭを紋章化とする。文字以外は赤をテーマとして、ブランドイメージを醸成する。図９（Ｂ）は、サブネーミングとして図に示すような文字でＫａｌｌｏｓ　Ａｅｄｅｓ（カッロス　アエデース）とする。文字の意味は、カッロス（ギリシャ語）：美と、アエデース（ラテン語）：邸宅である。バーチャル美術館に品格イメージを付加する。また、カリグラフィイメージのオリジナルロゴにより流麗なイメージを演出する。図９（Ｃ）は、コンセプトとして、美術品・骨董品サイトにふさわしいプレステージ感をネーミング・ロゴ・デザインにより創出する。選りすぐった作品を収蔵して、紹介する場所としてＫａｌｌｏｓＡｅｄｅｓのサブネーミングの意味する「美の邸宅」をコンセプトとして美術館を構成する。また、デザインのポイントとしては、洋画・日本画・美術品・骨董品等、ジャンルを問わない作品の収蔵が予想されるため、和洋双方のイメージを採り入れたデザインに留意する。和洋のモチーフをディテールに盛り込み、ミュージアムとしての個性を演出する。モチーフ例としては、ステンドグラス、木、漆喰、大谷石、ガラス、青海波などの紋様等を用いる。
【００３８】
館内の床は大理石、天井は埋め込み間接照明で椅子・テーブル・花で飾り付けられたサロン風の印象と、壁は石を削った粗い感じの表現と、上部から作品にスポットライトの照明がされている廊下を歩いて選択した室へ進むことになる。
館内の常設美術館各階の配置は、９Ｆ：企画展、８Ｆ：書、７Ｆ：版画、６Ｆ：工芸、５Ｆ：現代アート、４Ｆ：立体造形、３Ｆ：彫刻、２Ｆ：洋画、１Ｆ：日本画等である。ギャラリーは、例えば、アンドウヒデキ、井上一斉、上野寛治等である。サロンは、例えば、田中画廊、○○画廊、△△ギャラリー、□□アート等である。
【００３９】
図１０は、図３及び図４の個室ＶＩＰルームの選択画面を示す。
画面の最上段は、図６で示した画面の個室ＶＩＰルームが設けられる。次の下段に、お勧め作品一覧１８１３で最新のものと、入札履歴・登録時の嗜好に関連する出品一覧等の掲載文が設けられ、次の下段左側に、プルダウンして訪問先を決める案内を設けた。案内は、常設美術館１５０に行く、ギャラリー１６０に行く、サロン１７０に行く等である。プルダウンの内容は上記記載の館内配置が示される。その他クリックしてオークション一覧１８１６と、関連商品の販売１８１７等を設けている。常設美術館１５０に行くに並んで右側には、プルダウンするキーワード検索と、キーワードを入力して検索できる欄を設けている。キーワード検索のプルダウンメニューは、全項目からの検索と、作家名からの検索と、作品名からの検索と、出展者からの検索と、オークションからの検索と、関連販売からの検索等である。その他は、クリックし作者名一覧から探す、作品名一覧から探す、サロン名一覧から探す等を設けている。また、クリックすると関係画面へ遷移する館長からのお知らせとしてのニュース１８１１と、出展者・作家からのご連絡としてのメッセージ・ボックス１８１４と、アート系サイトへのリンク集としてのリンク１８１５と、これまでの入札履歴１８１２と、ＩＤ・パスワードの変更１８０２等を設けている。
【００４０】
図１１は、図４と図１０の館長からのお知らせとしてのニュース画面の例を示す。
図１２は、図４と図１０のこれまでの入札履歴としての入札履歴画面の例を示す。
図１３（Ａ）は、図４と図１０のお勧め作品一覧画面の例を示す。お勧め作品は一覧表示であるため画面を見る場合は、作品紹介をクリックすると作品紹介画面に遷移する。図１３（Ｂ）は、図４と図１０の作品紹介画面である。お勧め作品一覧画面の作品紹介をクリックすると作品紹介画面に遷移する。
図１４は、図４と図１０の出展者・作家からのご連絡としてのメッセージ・ボックス画面の例を示す。
図１５は、図４と図１０のアート系サイトへのリンク集としてのリンク画面の例を示す。
図１６は、図４と図１０のＩＤ・パスワードの変更画面である。項目登録内容変更を入力して登録する。
【００４１】
バーチャル美術館会システム１００の美術館１１０を見学するクライアントは、パーソナルコンピュータよりインターネットを介してアクセスすると、ＴＯＰページ１２０の画面である美術館１１０の図５が映し出される。次に図７で示した美術館１１０の各種情報が示される。通常日本語で案内されるが英語の切換え１２０８もできる。ＰＲ用に館内の見取り図を設けてある。常設美術館各階の配置は、９Ｆ：企画展、８Ｆ：書、７Ｆ：版画、６Ｆ：工芸、５Ｆ：現代アート、４Ｆ：立体造形、３Ｆ：彫刻、２Ｆ：洋画、１Ｆ：日本画等である。ギャラリーは、例えば、アンドウヒデキ、井上一斉、上野寛治等である。サロンは、例えば、田中画廊、○○画廊、△△ギャラリー、□□アート等である。
【００４２】
非会員８２と、非契約出展者８４の方は、最初にＴＯＰページ１２０の図７で示した美術館１１０の各種情報を読むことになる。入会する方は、入館のご案内１２０５をクリックすると、入口１３０からロビー１４０に入る。クラシックな外観に合ったロビー応接が点在している。ロビー１４０に設けられたロビー受付１４１に美しい女性が現れ案内をする。図８の新規会員登録を用いて会員手続のを終了すると、期間限定会員になるか、年会員になるか「ＹＥＳ　ｏｒ　ＮＯ」また出展希望者なのか入館を終了するか等を答えて頂くことになる。会員手続としての入金手続が済むと会員８１となる。また、非会員８２と、非契約出展者８４がＮＯであれば美術館１１０の画面は消える。
【００４３】
非会員８２と、非契約出展者８４の方で常設美術館１５０を見学される方は、入口１３０からロビー１４０に入ると、ロビー１４０に設けられたロビー受付１４１に美しい女性が現れ案内する。ＰＲ用に常設している常設美術館１５０に案内される。また、入館ＮＯであれば美術館１１０の画面は消える。
【００４４】
バーチャル美術館会システム１００の美術館１１０を見学する会員８１はパーソナルコンピュータよりインターネットを介してアクセスすると、上記記載のＴＯＰページ１２０の画面が映し出される。ＴＯＰページ１２０には、図７で示したように美術館１１０の各種情報が示されている。会員８１はユーザーＩＤと、パスワードをログイン１８０する。会員８１であると認証されると、ステータスを感じて頂けるように設けられた画面遷移３０１に遷移する。
【００４５】
図２３は、ヘリポートからロビーまでの画面遷移一例を示す図である。
アニメーションで製作された画面遷移３０１は、会員８１は入口１３０へ案内されることになる。画面遷移３０１は示された矢印に沿って行われる。ステータス感を満喫して頂くために会員８１を、ＶＩＰ待遇でエスコートしてヘリポートに案内して乗り込む。青い空にヘリコプターの音がする。やがて海の中に島が浮かんで見えてヘリポートに到着する。高級車による出迎を受け案内される。美術館１１０の敷地のなかを会員を乗せた高級車が走る。窓より木々の光と影と古城のたたずまい静かで爽やかで小鳥が飛んでいる風景が流れやがて美術館１１０の前に到着する。美術館１１０の入り口１３０へ案内されると重厚な扉が開く、そこは広々とした上品なロビー１４０が見える。　　会員８１の方が美術館１１０から帰るとき、「帰る」を連絡するとヘリポートから青い空へヘリコプターは飛び立つて終了する。また、ＴＯＰページ１２０より画面遷移３０１を省略して入口１３０へ進むことができる。
【００４６】
図２４は、ロビーから選択した室までの画面遷移一例を示す図である。
アニメーションで製作された画面遷移３０２では、会員８１の方は、入口１３０からロビー１４０に入ると上品なロビー１４０画面が見える。画面遷移３０２は示された矢印に沿って行われる。クラシックな外観に合ったロビー応接が点在している。ロビー１４０に設けられたロビー受付１４１に美しい女性が現れ個室ＶＩＰルーム１８１へ案内される。常設美術館・ギャラリー・サロン１５０，１６０，１７０等を図１０の選択画面で選択すると、後方にある扉が開き奥へ案内される。館内廊下を歩きエレベータに乗り選択した階で降り館内廊下を歩く、館内の床は大理石、天井は埋め込み間接照明で椅子・テーブル・花で飾り付けられたサロン風の印象と、壁は石を削った粗い感じの表現と、上部から作品にスポットライトの照明がされている廊下を歩いて選択した選択した室の扉を開ける。画面遷移３０２を省略して目的の場所へ進むことができる。上記記載の手続により作品の鑑賞と、額縁シュミレーション１９０と、商談依頼受付２００と、オークション一覧１８１６と、関連商品の販売１８１７等をすることになる。
【００４７】
出展希望者には、掲示板が設けられ該美術館事務局へ連絡する方法と美術館のルールの説明・手続規約など必要事項が記載表示されている。
【００４８】
上記記載のコンテンツＤＢの各テーブルに設けられる内容の説明と、次に説明する内容と重複する説明は省略する。
図１７は、コンテンツテーブル一覧画面の一例を示した図である。
コンテンツテーブル１０２１の図１７（Ａ）は、コンテンツテーブル一覧表を示した図である。作品ごとのＮＯと、ページ番号とを付している。
図１７（Ｂ）は、コンテンツテーブル画面の一例を示した図である。
コンテンツテーブル一覧表のなかで特に確認したい物件として例えばＮＯ１を開くと物件の内容が詳細に示される。
【００４９】
上記記載のコンテンツＤＢの各テーブルに設けられる作品テーブル１０２２であって、図１８は、作品テーブル画面の一例を示した図である。
図１８（Ａ）は、作品一覧表を示した図である。作品のジャンヌ等が示されている。
図１８（Ｂ）は、個別に選択された作品の画面一例を示した図である。作品の画面を中心にサイズ等が示されている。
【００５０】
上記記載のコンテンツＤＢの各テーブルに設けられる出展者テーブル１０２３であって、図１９は、出展者テーブル画面の一例を示した図である。
図１９（Ａ）は、出展者一覧表を示した図である。出展者名と連絡先住所と、連絡先電話番号等が示されている。
図１９（Ｂ）は、個別に選択された出展者の画面一例を示した図である。出展者の経歴と、主なジャンヌ等が示されている。
【００５１】
上記記載のコンテンツＤＢの各テーブルに設けられるサロンテーブル１０２４あって、図２０は、サロンテーブル画面の一例を示した図である。
図２０（Ａ）は、サロン一覧表を示した図である。サロンコードと、サロン名と、代表者名と、連絡先住所と、連絡先電話番号等が示されている。
図２０（Ｂ）は、個別に選択されたサロンの画面一例を示した図である。サロン名と、代表者と、担当者等が示されている。
【００５２】
上記記載のコンテンツＤＢの各テーブルに設けられる会員テーブル１０２５であって、図２１は、会員テーブル画面の一例を示した図である。
図２１（Ａ）は、会員一覧表を示した図である。会員コードと、会員名と、ふりがな等が示されている。
図２１（Ｂ）は、個別に選択された会員の画面一例を示した図である。会員の経歴と、好きなジャルンと、所蔵品等が示されている。
【００５３】
上記記載のコンテンツＤＢの各テーブルに設けられる購入希望テーブル１０２６であって、図２２は、購入希望テーブル画面の一例を示した図である。
図２２（Ａ）は、購入希望一覧表を示した図である。受付番号と、作品コードと、会員コードと、購入判定等が示されている。
図２２（Ｂ）は、個別に選択された作品の購入情報画面の一例を示した図である。選択した作品の購入情報として、購入希望価格と、判定年月日等が示されている。
【００５４】
【発明の効果】
本発明は、以上説明したような形態で実施され、以下に記載されるような効果を奏する。
コンテンツ　マネージメント　サーバーについては上記記載の仕掛けを設けたのでバーチャル美術館経営システムの美術館の鑑賞品質の向上を図ることができた。
バーチャル美術館経営システムの運営は、会員登録制を設けたので、回線の混雑を防止することができ会員と契約出展と経営者にとって満足できる展開となった。
【００５５】
バーチャル美術館経営システムを利用する会員のステータスを上げるために、会員を登録制としたこと、また、バーチャル美術館経営システムの特徴を生かして画面遷移を用いて魅力ある臨場感あふれるバーチャルな造形美を設けることができた。
【００５６】
バーチャル美術館経営システムの美術館に設けたご案内のなかで、必要なプラグインとしてＺｏｏｍＶｉｅｗ機能をクライアントすべてにダウンロードできるようにしたので、作品を鑑賞する際、拡大鑑賞機能により正確に納得の行く充分な展示品の品定めができた。
【００５７】
心地よく鑑賞できる情報提供の場を設けるために会員には、個室ＶＩＰルームを提供した。会員が絵画を選択するとき自在に額縁の入れ替えができる機能を設けた。
【００５８】
バーチャル美術館経営システムに出展された展示品の著作権を保護するために複写防止機能をが設けた。バーチャル美術館経営システムの美術品出展者として認定された登録美術品出展者は、出展する美術品物件の情報をインターネツトを介して該美術館へ送信することができる機能を設けた。
【００５９】
バーチャル美術館経営システムに展示された彫刻と、陶芸と、絵画と、写真と、出版物等の現代美術品や、古美術品・書画骨董品等の物件を会員が購入を希望すれば、該物件の取引は確実に行えるように会員以外の取引を禁止したので支払いトラブルを防止できた。
【００６０】
バーチャル美術館経営システムのＰＲのために常設美術館を開放して、非会員と、非出展契約者に見学の機会を設けた。よって会員獲得と、出展契約者の拡大促進を図ってビジネスとして有益な経営を行うバーチャル美術館経営システムを提供することができた。
【図面の簡単な説明】
【図１】本発明のバーチャル美術館経営システム全体の構成を示すシステム概念図を示す。
【図２】図２は、図１のページ編集イメージ図を示す。
【図３】図３は、バーチャル美術館経営システムの全体フローと更新の図を示す。
【図４】図４は、図３のバーチャル美術館経営システムの情報提供の項目を示す。
【図５】図５は、図３のバーチャル美術館経営システムの美術館の正面図を示す。
【図６】図６は、図３のバーチャル美術館経営システムの個室ＶＩＰルームを示す。
【図７】図７は、図４のＴＯＰページの画面を示す。
【図８】図８は、図４の新規会員登録画面を示す。
【図９】図９は、バーチャル美術館経営システムのネーミング・サブネーミング・コンセプト・デザインのポイントの図を示す。
【図１０】図１０は、図３及び図４の個室ＶＩＰルームの選択画面を示す。
【図１１】図１１は、図４と図１０の館長からのお知らせとしてのニュース画面の例を示す。
【図１２】図１２は、図４と図１０のこれまでの入札履歴としての入札履歴画面の例を示す。
【図１３】図１３（Ａ）は、図４と図１０のお勧め作品一覧画面を示す。図１３（Ｂ）は、図４と図１０の作品紹介画面を示す。
【図１４】図１４は、図４と図１０の出展者・作家からのご連絡としてのメッセージ・ボックス画面を示す。
【図１５】図１５は、図４と図１０のアート系サイトへのリンク集としてのリンク画面を示す。
【図１６】図１６は、図４と図１０のＩＤ・パスワードの変更画面を示す。
【図１７】図１７は、コンテンツテーブル一覧画面の一例を示した図である。
【図１８】図１８は、作品テーブル画面の一例を示した図である。
【図１９】図１９は、出展者テーブル画面の一例を示した図である。
【図２０】図２０は、サロンテーブル画面の一例を示した図である。
【図２１】図２１は、会員テーブル画面の一例を示した図である。
【図２２】図２２は、購入希望テーブル画面の一例を示した図である。
【図２３】図２３は、ヘリポートからロビーまでの画面遷移一例を示す図である。
【図２４】図２４は、ロビーから選択した室までの画面遷移一例を示す図である。
【符号の説明】
８１　会員
８２　非会員
８３　契約出展者
８４　非契約出展者
１００　バーチャル美術館経営システム
１０１　ＷＷＷサーバー
１０２　ＣＭＳ
１０３　通信ネットワーク
１１０　美術館
１２０　ＴＯＰページ
１３０　入口
１４０　ロビー
１５０　常設美術館
１５１　作品紹介
１６０　ギャラリー
１６１　作者紹介
１６２　アトリエ紹介
１６３　作品サムネイル
１６４　作品紹介
１７０　サロン
１８０　ログイン
１８１　個室ＶＩＰルーム
１９０　額縁シュミレーション
２００　商談依頼受付
３０１　画面遷移
３０２　画面遷移
１０２１　コンテンツテーブル
１０２２　作品テーブル
１０２３　出展者テーブル
１０２４　サロンテーブル
１０２５　会員テーブル
１０２６　購入希望者テーブル
１２０１　館内案内
１２０２　Ｗｈａｔ’Ｎｅｗ（お知らせ）
１２０３　美術館の紹介
１２０４　入会案内
１２０５　有料サイト表示
１２０６　プラグインソフトの必要性
１２０８　日本語／英語切換
１２０９　出展のご案内
１８０１　新規会員登録
１８０２　ＩＤ・パスワードの変更
１８１１　ニュース
１８１２　入札履歴
１８１３　お勧め作品一覧
１８１４　メッセージ・ボックス
１８１５　リンク
１８１６　オークション一覧
１８１７　関連商品の販売
【図１】
2004133864.tif 000003
【図２】
2004133864.tif 000004
【図３】
2004133864.tif 000005
【図４】
2004133864.tif 000006
【図５】
2004133864.tif 000007
【図６】
2004133864.tif 000008
【図７】
2004133864.tif 000009
【図８】
2004133864.tif 000010
【図９】
2004133864.tif 000011
【図１０】
2004133864.tif 000012
【図１１】
2004133864.tif 000013
【図１２】
2004133864.tif 000014
【図１３】
2004133864.tif 000015
【図１４】
2004133864.tif 000016
【図１５】
2004133864.tif 000017
【図１６】
2004133864.tif 000018
【図１７】
2004133864.tif 000019
【図１８】
2004133864.tif 000020
【図１９】
2004133864.tif 000021
【図２０】
2004133864.tif 000022
【図２１】
2004133864.tif 000023
【図２２】
2004133864.tif 000024
【図２３】
2004133864.tif 000025
【図２４】
2004133864.tif 000026